(57)【要約】【課題】平板状パネルのすべての端部をボルトで固定しなくても建物の固定部に対して固定でき、防水のためのコーキング材で容易に水密にすることができ、また標準として建物の固定部に設けられる吊りボルトを利用することができるパネル取付具及びパネル取付構造を提供する。【解決手段】天井パネル８１に取り付けた固定側連結部材２１をネジ８７によって野縁１１に固定する。次いで配置しようとする天井パネル８１に取り付けた差し込み側連結部材２３の差し込み部６０を、既に配置した天井パネル８１に取り付けた固定側連結部材２１の被差し込み部４６に天井パネルが並ぶ方向へスライドさせ差し込み、水平部５３の下面と水平部３３の上面とが接触し、且つ水平部３３の上面と係止部４１の下面とが接触する状態にする。そして配置しようとする固定側連結部材２１をネジ８７によって野縁１１に固定する。【選択図】        図１
2010090636.tif 000002
【特許請求の範囲】
【請求項１】
四角形の平板状パネルが隣り合うように並んで複数配置された状態で建物の固定部に取り付けるために用いられ、前記平板状パネル各々に対応して備えられる平板状パネルの取付具において、前記平板状パネルの一側端部分に取り付けられ、且つ建物の固定部に固定されて、しかも被差し込み部を備える固定側連結部材と、前記固定側連結部材に対向する側の一側端部分に取り付けられ、前記平板状パネルに隣り合って配置される平板状パネルに取り付けられた差し込み側連結部材とを備え、前記差し込み側連結部材には隣り合って配置される平板状パネルに取り付けられた固定側連結部材の被差し込み部に対し、平板状パネルが並ぶ方向へスライドさせ差し込むことによって、前記固定側連結部材に連結される差し込み部を設けたことを特徴とする平板状パネルの取付具。
【請求項２】
請求項１に記載した平板状パネルの取付具において、隣り合うように並んで複数配置された状態で建物の固定部に取り付けられた平板状パネルの表面側と裏面側とを水密とするためのコーキング材を充填するコーキング材充填部を設けたことを特徴とする平板状パネルの取付具。
【請求項３】
請求項１または２に記載した平板状パネルの取付具を用いて、四角形の平板状パネルが隣り合うように並んで複数配置された状態で建物の固定部に取り付けたことを特徴とする平板状パネルの取付構造。
【請求項４】
請求項３に記載した平板状パネルの取付構造において、平板状パネルの少なくとも１枚を平板状パネルが並んだ方向に対し直交する方向から着脱可能としたことを特徴とする平板状パネルの取付構造。
【発明の詳細な説明】
【技術分野】
【０００１】
本発明は平板状パネルの取付具、平板状パネルの取付構造に係り、特に天井や壁等に用いられる平板状パネルを簡単に取り付けることができる平板状パネルの取付具、平板状パネルの取付構造に関するものである。
【背景技術】
【０００２】
建物の固定部に対し天井パネルを取り付ける場合に、特許文献１に記載された天井構造がある。この天井構造は建物の固定部に対し天井パネルをボルトで固定し、天井パネル間の隙間には後付け天井面材を取付けている。
【０００３】
【特許文献１】特開２００１−４９７９０号公報
【発明の開示】
【発明が解決しようとする課題】
【０００４】
しかしながら、上記従来の天井構造では、建物の固定部に対し天井パネルをボルトで直接固定しており、すべての端部をいちいちボルトで固定しなければならず作業性が非常に悪いという問題がある。
そして、防水のためのコーキング材を充填しようとしても充填スペースが大き過ぎて防水性能を付与することはできない。
また、天井パネルは本来的に標準として建物の固定部に設けられる吊りボルトを利用して固定されていない。即ち特殊な吊り金物を用いた取付け方であって、標準として建物の固定部に設けられる吊りボルトを利用しておらず、特殊品となってコストが高くなるという問題がある。
本発明は上記従来の問題点に着目して為されたものであり、平板状パネルのすべての端部をボルトで固定しなくても建物の固定部に対して固定でき、防水のためのコーキング材で容易に水密にすることができ、また標準として建物の固定部に設けられる吊りボルトを利用することができる平板状パネルの取付具及び平板状パネルの取付構造を提供することを目的とする。
【課題を解決するための手段】
【０００５】
本発明は上記課題を解決するためになされたものであり、請求項１の発明は、四角形の平板状パネルが隣り合うように並んで複数配置された状態で建物の固定部に取り付けるために用いられ、前記平板状パネル各々に対応して備えられる平板状パネルの取付具において、前記平板状パネルの一側端部分に取り付けられ、且つ建物の固定部に固定されて、しかも被差し込み部を備える固定側連結部材と、前記固定側連結部材に対向する側の一側端部分に取り付けられ、前記平板状パネルに隣り合って配置される平板状パネルに取り付けられた差し込み側連結部材とを備え、前記差し込み側連結部材には隣り合って配置される平板状パネルに取り付けられた固定側連結部材の被差し込み部に対し、平板状パネルが並ぶ方向へスライドさせ差し込むことによって、前記固定側連結部材に連結される差し込み部を設けたことを特徴とする平板状パネルの取付具。
【０００６】
請求項２の発明は、請求項１に記載した平板状パネルの取付具において、隣り合うように並んで複数配置された状態で建物の固定部に取り付けられた平板状パネルの表面側と裏面側とを水密とするためのコーキング材を充填するコーキング材充填部を設けたことを特徴とする平板状パネルの取付具である。
【０００７】
請求項３の発明は、請求項１または２に記載した平板状パネルの取付具を用いて、四角形の平板状パネルが隣り合うように並んで複数配置された状態で建物の固定部に取り付けたことを特徴とする平板状パネルの取付構造である。
【０００８】
請求項４の発明は、請求項３に記載した平板状パネルの取付構造において、平板状パネルの少なくとも１枚を平板状パネルが並んだ方向に対し直交する方向から着脱可能としたことを特徴とする平板状パネルの取付構造である。
【発明の効果】
【０００９】
本発明の平板状パネルの取付具及び平板状パネルの取付構造によれば、平板状パネルのすべての端部をボルトで固定しなくても建物の固定部に対して固定できるため作業性が非常に良くなり、防水のためのコーキング材で容易に水密にすることができる。
また、標準として建物の固定部に設けられる吊りボルトを利用することができる。
【発明を実施するための最良の形態】
【００１０】
本発明の実施の形態に係る平板状パネルの取付具１を図に従って説明する。
平板状パネルの取付具１は、平板状パネルとしての四角形の天井パネル８１が隣り合うように並んで複数配置された状態で建物の固定部としての吊りボルト３に取り付けるために用いられ、天井パネル８１各々に対応して備えられるものである。
吊りボルト３は標準として建物の梁に溶接等されて固定されて設けられるものである。吊りボルト３の下端部にはハンガー５が取付けられており、このハンガー５を介して吊りボルト３に野縁受け７が支持されている。野縁受け７にはクリップ９によって野縁１１が直行するように連結されている。従って、野縁受け７と野縁１１とは格子状に組まれた状態となっている。
【００１１】
野縁１１は平板の幅方向の両端部が垂直方向へ延び、更にその先端部が互いに対向する方向に直角に曲がる形状に形成されて、一対の掛かり止め部１５が設けられている。またクリップ９には一対のフック部１３が設けられており、一対のフック部１３に一対の掛かり止め部１５が係止されることによって、野縁１１が野縁受け７に支持されている。
野縁１１には複数のネジ取り付け穴１２が形成され、ネジ取り付け穴１２は等間隔で配置されている。
【００１２】
平板状パネルの取付具１は軽合金製で、押し出し成形によって製造される固定側連結部材２１、差し込み側連結部材２３及び２つの連携部材２５、２５によって構成されている。固定側連結部材２１、差し込み側連結部材２３及び２つの連携部材２５、２５は、それらの両端部が、４５度の角度に傾斜している。従って、固定側連結部材２１、差し込み側連結部材２３及び２つの連携部材２５、２５の端部どうしはぴったり接合するようになっており、四角の枠状に組み立てることができる。
固定側連結部材２１、差し込み側連結部材２３及び２つの連携部材２５、２５には、４つのネジ挿通穴７３がそれぞれ形成されており、４つのネジ挿通穴７３は等間隔に配置されている。また、固定側連結部材２１にはネジ挿通穴７３とは別に４つのネジ挿通穴７５が形成されており、ネジ挿通穴７５も等間隔に配置されている。
【００１３】
固定側連結部材２１、差し込み側連結部材２３及び２つの連携部材２５、２５の断面形状を説明する。
図２（Ａ）に固定側連結部材２１の縦断面形状を示す。
固定側連結部材２１は同図の近傍に矢印で示す方向で左右に延びる水平なパネル取付部２７と、このパネル取付部２７の右端から垂直上方にわずかに延びる補強垂直部２９と、パネル取付部２７の左端から垂直上方に延びる垂直部３１と、垂直部３１の上端から水平右方に延びる水平部３３と、水平部３３の右端から垂直上方に延びる垂直部３５と、垂直部３５の上端から水平左方に延びる固定部３７と、固定部３７の左端から垂直下方に延びる垂直部３９と、垂直部３９の下端から水平右方にわずかに延びる係止部４１と、パネル取付部２７の左端部に垂直上方にわずかに延びる補強リブ４３と、水平部３３の左端部の補強リブ４３と対向する位置には垂直下方にわずかに延びる補強リブ４５とから成っている。
【００１４】
水平部３３の上面と係止部４１の下面との間の垂直方向の寸法は後述する差し込み側連結部材２３の水平部５３の厚さと略同じ寸法となっている。
また、水平部３３の上面と固定部３７の下面との間の垂直方向の寸法は後述する差し込み側連結部材２３の垂直部５５の長さと略同じかわずかに大きい寸法となっている。
水平部３３、垂直部３５及び固定部３７によって囲まれた空間に被差し込み部４６が構成され、被差し込み部４６左方が開口している。
パネル取付部２７には前述のネジ挿通穴７３が設けられており、固定部３７には前述のネジ挿通穴７５が設けられている。
【００１５】
図２（Ｂ）に差し込み側連結部材２３の縦断面形状を示す。
差し込み側連結部材２３は同図の近傍に矢印で示す方向で左右に延びる水平なパネル取付部４７と、このパネル取付部４７の左端から垂直上方にわずかに延びる補強垂直部４９と、パネル取付部４７の右端から垂直上方に延びる垂直部５１と、垂直部５１の上端から水平右方に延びる水平部５３と、水平部５３の右端から垂直上方に延びる垂直部５５と、パネル取付部４７の右端部に垂直上方にわずかに延びる補強リブ５７と、垂直部５１の上端部から水平左方に延び補強リブ５７と対向する位置で垂直下方に折り曲げられてわずかに延びる補強リブ５９とから成っている。
差し込み部６０は水平部５３と垂直部５５とによって構成され、右方に突出している。パネル取付部４７には前述のネジ挿通穴７３が設けられている。
【００１６】
図２（Ｃ）に連携部材２５の縦断面形状を示す。
連携部材２５は同図の近傍に矢印で示す方向で左右に延びる水平なパネル取付部６１と、このパネル取付部６１の右端から垂直上方にわずかに延びる補強垂直部６３と、パネル取付部６１の左端から垂直上方に延びる垂直部６５と、垂直部６５の上端から水平左方に突出する隙間隠し部６７と、パネル取付部６１の左端部に垂直上方にわずかに延びる補強リブ６９と、垂直部６５の上端部から水平右方に延び補強リブ６９と対向する位置で垂直下方に折り曲げられてわずかに延びる補強リブ７１とから成っている。パネル取付部６１にはネジ挿通穴７３が等間隔に設けられている。
図２（Ｄ）に示すもう一方の連携部材２５は、上記した連携部材２５と同一形状であり、図２（Ｄ）は連携部材２５の図２（Ｃ）とは反対側から見たものを示しているので、図２（Ｄ）については図２（Ｃ）と同じ符号を付して説明を省略する。
【００１７】
符号８１は平板状パネルとしての天井パネルを示し、この天井パネル８１はアルミダイキャスト製法で形成され、正方形を為している。天井パネル８１の裏面には突条８３が設けられており、この突条８３は天井パネル８１の端面からわずかな寸法内側へ寄った位置に備えられている。
突条８３の内側には雌ネジ部８５が一体に設けられている。この雌ネジ部８５は上述した平板状パネルの取付具１の固定側連結部材２１、差し込み側連結部材２３及び２つの連携部材２５、２５に設けられたネジ挿通穴７３と対応した位置に配置されている。
【００１８】
次に、天井パネル８１に平板状パネルの取付具１の取り付け方法を説明する。
天井パネル８１の一側端部分に、固定側連結部材２１の被差し込み部４６の開口が外側を向くように配置し、ネジ８７をネジ挿通穴７３へ通し雌ネジ部８５に螺合して、固定側連結部材２１を天井パネル８１に取り付ける（図４参照）。
また、天井パネル８１の固定側連結部材２１を連結した一側端部分と対向する側の一側端部分に差し込み側連結部材２３の差し込み部６０の突出方向が外側を向くように配置し、ネジ８７をネジ挿通穴７３へ通し雌ネジ部８５に螺合して、差し込み側連結部材２３を天井パネル８１に取り付ける（図４参照）。
【００１９】
また、天井パネル８１の固定側連結部材２１を取り付けた一側端部分と直交する側端部分それぞれに、連携部材２５の隙間隠し部６７の突出方向が外側を向くように配置し、ネジ８７をネジ挿通穴７３へ通し雌ネジ部８５に螺合して、一対の連携部材２５を天井パネル８１に取り付ける（図５参照）。
上記のように平板状パネルの取付具１を天井パネル８１に取り付けると、突条８３の外側部分には、天井パネル８１、突条８３及び平板状パネルの取付具１によって囲まれる空間にコーキング材８９を充填するコーキング材充填部９１が形成される。このコーキング材充填部９１にコーキング材８９を充填する。
【００２０】
平板状パネルの取付具１によって建物の固定部に天井パネル８１を複数配置させるための取り付け方法を説明する。
天井パネル８１に取り付けた固定側連結部材２１をネジ８７によって野縁１１に固定する。次いで配置しようとする天井パネル８１に取り付けた差し込み側連結部材２３の差し込み部６０を、既に配置した天井パネル８１に取り付けた固定側連結部材２１の被差し込み部４６に天井パネルが並ぶ方向へスライドさせ差し込み、水平部５３の下面と水平部３３の上面とが接触し、且つ水平部５３の上面と係止部４１の下面とが接触する状態にする。これにより、差し込み側連結部材２３が固定側連結部材２１に支持される。
そして、配置しようとする天井パネル８１に連結された固定側連結部材２１のネジ挿通穴７５にネジ８７を挿通して、更にネジ８７を野縁１１に螺合する。すべてのネジ挿通穴７５にネジ８７を挿通し、ネジ８７を野縁１１に螺合することで天井パネル８１は配置される。上記した方法を順次繰り返すことで複数の天井パネル８１を配置する。
【００２１】
天井パネル８１を複数配置させた状態において、天井パネル８１に取り付けられた固定側連結部材２１と隣り合って配置された天井パネル８１に取り付けられた差し込み側連結部材２３とによって、コーキング材８９を充填するコーキング材充填部９３が形成される。天井パネル８１、天井パネル８１に取り付けられた一対の連携部材２５とよって囲まれる空間にコーキング材８９を充填するコーキング材充填部９３が形成される（図５参照）。このコーキング材充填部９３にコーキング材８９を充填する。これにより、隣り合うように並んで複数配置された状態で建物の固定部に取り付けられた天井パネル８１の表面側と裏面側とを水密とすることができる。
以上のようにして平板状パネルのパネル取付構造としての天井パネルのパネル取付構造を組み立てる。
【００２２】
図６は複数配置された状態で建物の固定部に取り付けられた天井パネル８１の平板状パネルの取付具１において、構成部材の一部を変更したものを示す。これは天井パネル８１を垂直方向から着脱可能とするためのものである。
符号１０１はネジ止め連結部材を示し、このネジ止め連結部材１０１は軽合金製で押出成形によって製造されていること、ネジ止め連結部材１０１の両端部はそれぞれ４５度にカットされて傾斜部が形成されており（図示せず）、構成部材の傾斜部同士が接合するようになっていることは、上記した固定側連結部材２１、差し込み側連結部材２３及び連携部材２５と同様である。
【００２３】
図６にネジ止め連結部材１０１の断面を示す。
同図において天井パネル８１の右に位置するネジ止め連結部材１０１は、左右に延びる水平なパネル取付部１０３と、このパネル取付部１０３の左端から垂直上方にわずかに延びる補強垂直部１０５と、パネル取付部１０３の右端から垂直上方に延びる垂直部１０７と、垂直部１０７の上端から水平右方に延びるネジ止め部１０９と、ネジ止め部１０９の右端から垂直上方に延びる垂直部１１１と、パネル取付部１０３の右端部に垂直上方にわずかに延びる補強リブ１１３と、垂直部１０７の上端部から水平左方に延び補強リブ１１３と対向する位置で垂直下方に折り曲げられてわずかに延びる補強リブ１１５とから成っている。
ネジ止め部１０９の水平方向の寸法は、固定側連結部材２１の垂直部３９と垂直部３１との間の水平方向の寸法よりわずかに短くなっている。ネジ止め部１０９にはネジ挿通穴１１７が固定側連結部材２１の固定部３７に設けられたネジ挿通穴７５と対応した位置に設けられている。パネル取付部１０３にはネジ挿通穴７３が等間隔に設けられている。
【００２４】
ネジ止め連結部材１０１では、ネジ８７をネジ挿通穴１１７へ挿通し、更に固定側連結部材２１のネジ挿通穴７５へ挿通して、野縁１１のネジ取り付け穴１２に螺合する。これにより天井パネル８１がネジ止め連結部材１０１を介して野縁１１に取り付けられる。
このネジ止め連結部材１０１では、ネジ止め部１０９の水平方向の寸法は、固定側連結部材２１の垂直部３９と垂直部３１との間の水平方向の寸法よりわずかに短くなっているので、ネジ８７を外せば、天井パネル８１を垂直方向から着脱することができる。従って、ネジ止め連結部材１０１を適当箇所に複数配置しておけば、天井パネル８１の１枚が破損等により交換する場合でも、破損した天井パネル８１の最も近いところに配置されたネジ止め連結部材１０１を取り付けるネジ８７を外せば、ごく少ない枚数の天井パネル８１を外すだけで破損した天井パネル８１の交換を行うことができる。
【００２５】
すなわち、上述したように平板状パネルの取付具１は、配置しようとする天井パネル８１に取り付けた差し込み側連結部材２３の差し込み部６０を、既に配置した天井パネル８１に取り付けた固定側連結部材２１の被差し込み部４６に天井パネルが並ぶ方向へスライドさせ差し込んで、差し込み側連結部材２３が固定側連結部材２１に支持させた状態で連結する構造となっており、平板状パネルの取付具１を用いた天井パネルの取付構造は天井パネル８１を水平方向へスライドさせないと、差し込み側連結部材２３を固定側連結部材２１から外すことができない。このため上記のようなネジ止め連結部材１０１を用いないと、一部の天井パネル８１を交換する場合に、交換対象となる天井パネル８１からこれに連なる列の端部までの天井パネル８１を外さなくてはならなくなってしまう。そこで、ネジ止め連結部材１０１により天井パネル８１を水平方向へスライドさせることなく、垂直方向、即ち天井パネル８１が並んだ方向に対し直交する方向から着脱可能としている。
【００２６】
図７に示すその他の実施の形態は、本発明の平板状パネルの取付具を、外壁用パネルの取付具１２１に適用し、これを用いた外壁用パネルの取付構造である。
この外壁用パネルの取付具１２１は、平板状パネルとしての外壁用パネル１２３を建物の胴縁１２７に取り付けており、外壁用パネル１２３にはネジ８７を螺合する雌ネジ部１２５が設けられている。外壁用パネルの取付具１２１の構造が天井パネルの取付具と同様であるので、本実施の形態については、天井パネルの取付具の実施の形態で用いた符号を付して説明を省略する。
【００２７】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、平板状パネルとして天井パネルと外壁用パネルを示したが、内壁用パネル等に本発明の平板状パネルの取付具を適用してもよい。
【産業上の利用可能性】
【００２８】
本発明の平板状パネルの取付具、平板状パネルの取付構造は、住宅、駅ビル等の天井、内壁、外壁や地下道の内壁等の建築、建設産業に適用することが可能である。
【図面の簡単な説明】
【００２９】
【図１】本発明の天井パネルの取付具を用いた天井パネルの取付構造の分解斜視図である。
【図２】図１に示す天井パネルの取付具の分解平面図と天井パネルの取付具の構成部材の断面図である。
【図３】図１に示す天井パネルの取付構造の部分拡大分解斜視図である。
【図４】図１に示す天井パネルの取付構造の固定側連結部材と差し込み側連結部材とが連結される部分の拡大縦断面図である。
【図５】図１に示す天井パネルの取付構造の連携部材どうしが連結される部分の拡大縦断面図である。
【図６】図１に示す天井パネルの取付構造の天井パネルが垂直方向へ外すことができるネジ止め連結部材と固定側連結部材とが連結される部分の拡大縦断面図である。
【図７】その他の実施の形態に係る外壁用パネルの取付構造の一部拡大縦断面図である。
【符号の説明】
【００３０】
１‥‥平板状パネルの取付具              ３‥‥吊りボルト
５‥‥ハンガー                          ７‥‥野縁受け
９‥‥クリップ                          １１‥‥野縁
１２‥‥ネジ取り付け穴
１３‥‥フック部                        １５‥‥掛かり止め部
２１‥‥固定側連結部材                  ２３‥‥差し込み側連結部材
２５‥‥連携部材                        ２７‥‥パネル取付部
２９‥‥補強垂直部                      ３１‥‥垂直部
３３‥‥水平部                          ３５‥‥垂直部
３７‥‥固定部                          ３９‥‥垂直部
４１‥‥係止部                          ４３‥‥補強リブ
４５‥‥補強リブ                        ４６‥‥被差し込み部
４７‥‥パネル取付部                    ４９‥‥補強垂直部
５１‥‥垂直部                          ５３‥‥水平部
５５‥‥垂直部                          ５７‥‥補強リブ
５９‥‥補強リブ                        ６０‥‥差し込み部
６１‥‥パネル取付部                    ６３‥‥補強垂直部
６５‥‥垂直部                          ６７‥‥隙間隠し部
６９‥‥補強リブ                        ７１‥‥補強リブ
７３‥‥ネジ挿通穴                      ７５‥‥ネジ挿通穴
８１‥‥天井パネル                      ８３‥‥突条
８５‥‥雌ネジ部                        ８７‥‥ネジ
８９‥‥コーキング材                    ９１‥‥コーキング材充填部
９３‥‥コーキング材充填部
１０１‥‥ネジ止め連結部材              １０３‥‥パネル取付部
１０５‥‥補強垂直部                    １０７‥‥垂直部
１０９‥‥ネジ止め部                    １１１‥‥垂直部
１１３‥‥補強リブ                      １１５‥‥補強リブ
１１７‥‥ネジ挿通穴
１２１‥‥外壁用パネルの取付具          １２３‥‥外壁用パネル
１２５‥‥雌ネジ部                      １２７‥‥胴縁
【図１】
2010090636.tif 000003
【図２】
2010090636.tif 000004
【図３】
2010090636.tif 000005
【図４】
2010090636.tif 000006
【図５】
2010090636.tif 000007
【図６】
2010090636.tif 000008
【図７】
2010090636.tif 000009